(57)【特許請求の範囲】
【請求項１】
複数のポケット、複数のポケット部用接続口、衣服の周縁部に平行して縦横に配置された導線からなる複数の区分布線部、複数の区分布線部をなす導線の端部に各々設けられた複数の区分布線部用接続口、および接続手段から成り、ポケットに収容される特定用途部品に対応し関連する接続口を接続手段により選択的に相互接続して特定用途システム網を形成することを特徴とするシステム衣服。
【請求項２】
請求項１記載の特定用途システム網のポケットに特定用途部品を収容し、上記特定用部品と関連する接続口とを接続手段により接続して、上記特定用途部品と上記特定用途システム網とを相互接続した特定用途システムを構成する方法。
【請求項３】
請求項２記載の特定用途システムのポケットに特殊機能ボ−ドを収容し、上記特殊機能ボ−ドと関連する接続口とを接続手段により接続して、上記特殊機能ボ−ドと上記特定用途システムを相互接続して結合した特定特殊機能結合システムを構成する方法。
【発明の詳細な説明】
【０００１】
【発明の属する技術分野】
本発明は、複数のポケットおよび複数の区分布線部に対応し関連する接続口を通して選択的に相互接続することにより構成する特定用途システム網を備える新規なシステム衣服に関する。
【０００２】
【従来の技術】
従来、薄形ラジオ、小型録音器、携帯電話、ＰＨＳ、ポケットＰＣなどを外出時に利用したい場合に、衣服の上下・内外ポケットに押込み収容するか、専用収納ケ−スやバッグに混入して携行、使用してきた。
【０００３】
【発明が解決しようとする課題】
既製服のポケットは、本来、種々の小型電気装置や情報機器などの特定、特殊、または両機能をもつ本体や付属品などを収容し使用するものではないから、実用上、不適合、操作困難、誤用、破損などの問題があった。
【０００４】
本発明は、このような問題点を解決するため、ポケットに収容する特定用途部品に対応し関連する複数のポケットに設けた接続口を選択的に相互接続して形成する特定用途システム網を備えるシステム衣服を提供する。
【０００５】
【課題を解決するための手段】
上記目的を達成するため、システム衣服は、適当な寸法、配置の複数のポケット、複数のポケット接続部の接続口、複数の区分布線部、複数の区分布線部の接続口、および接続手段を備える。
【０００６】
主要な区分布線部は、上下左右ポケットと周縁縫合部に並行して、縫製固定するか、保持テ−プなどで着脱自在に保持する。各区分布線部は、所要の本数と線径（電流容量）の配線用の絶縁導線・シ−ルド導線などから成り、各導線の両端部に接続口を設ける。
【０００７】
ヘッドホン、アンテナ、ヘッドセットなどの特定用途部品に対応し関連する複数の区分布線部にある接続口を導体の接続手段により選択的に接続することにより特定用途システムを簡易に迅速に形成することがきる。
【０００８】
また、特殊機能ボ−ドとして携帯ラジオなどの放送受信ボ−ドをポケットに収容保持し特定用途システムに選択的に相互接続することにより特定特殊機能結合システムを構成することができる。
【０００９】
【発明の実施の形態】
実施の形態について、図面を参照して説明する。
図１において、衣服ベストＶ（ＶＥＳＴ）の前面部の左右上下にポケットＰ１〜Ｐ６を設け、携帯電話、小型ラジオ、レコーダ、電源用電池、イヤホンなどを収容するのに十分な寸法、容積、強度のものとする。衣服は、適当な絶縁性／電磁遮蔽性の織布で縫製し、ポケットＰ１などにフラップＦを付けてもよい。
【００１０】
ポケットＰ１〜Ｐ４には、各々数個の接続口Ｊ１１〜Ｊ１３，Ｊ２１〜Ｊ２３，Ｊ３１〜Ｊ３３，Ｊ４１〜Ｊ４３を適当に配設する。ポケットＰ５、Ｐ６にはヘッドホン、アンテナ、ヘッドセットなどの特定用途部品を収容保持する。
【００１１】
主要な区分布線部Ｗ１〜Ｗ７をベストＶの周縁縫合部に平行して縦横に配置し、縫製時に一体的に結束するか、保持テープＨＴなどで着脱自在に保持してもよい。
【００１２】
区分布線部Ｗ１〜Ｗ７には、適当数の接続口Ｃ１〜Ｃ６，Ｃ７〜Ｃ１０、Ｃ１１〜Ｃ１２Ｃ１３〜Ｃ１４、Ｃ１５〜Ｃ１８、Ｃ１９〜Ｃ２２、Ｃ２３〜Ｃ２６、Ｃ２７〜Ｃ３０を各導線端部に設け、近接するポケット接続口と長短の接続コ−ドやジャンパなどの接続手段Ｊにより選択的に相互接続する。
図３では未使用の接続口も全て示している。
【００１３】
図３に示すように、用途に応じて、電池電源供給線としてＪ１１−Ｃ３とＣ６−Ｊ２３（固定接続）、Ｊ１２−Ｃ２（固定接続）−Ｃ５、Ｊ１３−Ｃ１２（固定接続）、Ｃ１１−Ｊ４３（固定接続）としてもよい。また、電話通話録音用としてＪ２１−Ｃ１６−Ｃ１５―Ｊ３１、ラジオヘッドホンＨＰ用としてＪ４１−Ｃ２６−Ｃ２５、通話ヘッドセットＨＳ用としてＪ３２−Ｃ２４−Ｃ２３などを選択相互接続すればよい。このようにして、充電式電源供給方式の電話録音、フリーハンド通話／放送聴取などに適した特定用途システム網を容易に形成できる。
【００１４】
図２に示すように、特種機能ボードＴ，Ｒ，Ｍ，Ｂは、各々、電話機能、放送受信機能録音機能、電源機能をもつ小型薄板化電子システム装置であり、ボードには、用途によりポケットの関連接続口に選択接続される端子Ｔ１、Ｔ２、Ｔ３；Ｒ１、Ｒ２、Ｒ３；Ｍ１Ｍ２、Ｍ３；Ｂ１、Ｂ２、Ｂ３がある。
【００１５】
図３に示すように、用途に応じて、各ボードを適当な寸法配置のポケットに収容し、各ポケットの対応接続口を通して上記形成特定用途システム網に接続手段Ｊにより各関連端子Ｒ１、Ｔ１、Ｍ１、Ｂ１などを接続（点線表示）すれば、特定用途の、相異なる複数の特殊機能を結合した、特定特殊機能結合システムを確実に構成することができる。
【発明の効果】
上記のように形成し構成する本発明により、次のような効果が得られる。
【００１６】
請求項１のシステム衣服において、図示のベストＶを着用すれば、直ちに、構成システム間選択相互接続網を通して、ポケットＰ３に収容接続した携帯電話または電話機能ボードＴの通話などをポケットＰ２に別個収容した録音機または録音機能ボードＭに容易に録音することができる。また、ヘッドセットＨＳを接続使用すれば、ハンドフリー操作が可能となり、日常または緊急時のベスト着用効果は大きい。
【００１７】
さらに、ポケットＰ４に収容した小型ラジオＲを使用すれば、公共放送の随時または並行聴取ができるので、特に、災害時などに非常に有用である。
【００１８】
充電式電源方式により保守が容易になるだけでなく、連続長時間使用が可能となる。また、左右ポケットの収容重量のバランス化により、局部的疲労を軽減化できる。
【図面の簡単な説明】
【図１】  本発明システム衣服の実施例を示す前面図である。
【図２】    特殊機能ボードＢ、Ｍ、Ｔ、Ｒを収容保持するポケット、ポケット接続部、および対応接続口を示す平面図である。
【図３】  ヘッドホンシステム網の形成とヘッドホン式放送受信システムの構成のため選択、組合結合する相互接続網説明図である。
【符号の説明】
Ｖ          ベスト（ＶＥＳＴ）          Ｐ１〜Ｐ６  ポケット
Ｗ１〜Ｗ７  区分布線部（周縁縫合部）    Ｊ１〜Ｊ４    接続部
Ｃ１〜Ｃ６        Ｗ１  接続口    Ｊ１１〜Ｊ１３  Ｊ１接続口
Ｃ７〜Ｃ１０      Ｗ２  接続口    Ｊ２１〜Ｊ２３  Ｊ２接続口
Ｃ１１〜Ｃ１４    Ｗ３  接続口    Ｊ３１〜Ｊ３３  Ｊ３接続口
Ｃ１５〜Ｃ１８    Ｗ４  接続口    Ｊ４１〜Ｊ４３  Ｊ４接続口
Ｃ１９〜Ｃ２２    Ｗ５  接続口
Ｃ２３〜Ｃ２６    Ｗ６  接続口
Ｃ２７〜Ｃ３０    Ｗ７  接続口
Ｍ    録音ボード
Ｂ    充電式電源ボード                    Ｍ１  録音入力端子
Ｂ１  供給端子                          Ｍ２  音声出力端子
Ｂ２  供給端子                          Ｍ３  外部電源端子
Ｂ３  供給端子                        Ｔ    携帯電話ボード
Ｃ    充電器（略示）                    Ｔ１  録音出力端子
Ｒ    放送受信ボード                      Ｔ２  通話接続端子
Ｒ１  音声出力端子                      Ｔ３  外部電源端子
Ｒ２  アンテナ端子
Ｒ３  外部電源端子
Ｋ１〜Ｋ４  ボード接続部                Ａ    アンテナ
Ｊ    ジャンパ接続手段                  Ｆ    フラップ
ＨＰ  ヘッドホン
ＨＳ  ヘッドセット
ＨＴ  保持テープ
【図１】
0004395816.tif 000002
【図２】
0004395816.tif 000003
【図３】
0004395816.tif 000004